(57)【要約】  スタンバイシャットダウンを含む電気回路配置中に含まれている検出器配置において、検出器配置は、主電圧に接続され、電気回路中に含まれている電気モーター（５）に適合する第１の電圧に主電圧を変換する第１の電源（１）を具備し、第１の電源は、電気回路を閉じるまたは開くことができるスイッチ（４）を横断する供給導線（３）によって、その正極（２）がモーターに接続され、モーターは、戻り導線（６）によって、第１の電源の負極（７）に接続され、一方は第１の信号導線（１６）を通して第１の電源に接続され、他方は含まれている第２の電源（１１）に接続されている制御回路（１５）も同様に具備し、第２の電源は、第１の電圧よりも相当低い第２の電圧で制御回路に給電し、その負極が戻り導線に接続され、スイッチがオンの位置にあり、電源が電圧を送る通電状態と、スイッチがオフの位置にあり、電源が電圧を送らないシャットダウン状態との間の、スイッチの状態を示す検出器手段をさらに具備し、手段は、第１の電源によって、その制御のために制御回路に接続され、検出器配置は、第２の電源の正極と供給導線との間に引かれているクロスワイヤ（８）中に含まれていて、直列に接続されている抵抗器（１７）および第１のダイオード（１８）を含み、ダイオードと抵抗器との間に、制御回路（１５）に接続された第２の信号導線（１９）が接続されている検出器配置。【選択図】    図１
2015501067.tif 000002
【特許請求の範囲】
【請求項１】
スタンバイシャットダウンを含む電気回路配置中に含まれている検出器配置において、
検出器配置は、
主電圧に接続され、前記電気回路中に含まれている電気モーター（５）に適合する第１の電圧に前記主電圧を変換する第１の電源（１）を具備し、
前記第１の電源は、前記電気回路を閉じるまたは開くことができるスイッチ（４）を横断する供給導線（３）によって、その正極（２）が前記モーターに接続され、
前記モーターは、戻り導線（６）によって、前記第１の電源の負極（７）に接続され、
一方は第１の信号導線（１６）を通して前記第１の電源に接続され、他方は含まれている第２の電源（１１）に接続されている制御回路（１５）も同様に具備し、
前記第２の電源は、前記第１の電圧よりも相当低い第２の電圧で前記制御回路に給電し、その負極が前記戻り導線に接続され、
前記スイッチがオンの位置にあり、前記電源が電圧を送る通電状態と、前記スイッチがオフの位置にあり、前記電源が電圧を送らないシャットダウン状態との間の、前記スイッチの状態と前記第１の電源との状態を示す検出器手段をさらに具備し、
前記手段は、その制御のために前記制御回路に接続され、
前記検出器配置は、
前記第２の電源の正極と前記供給導線との間に引かれているクロスワイヤ（８）中に含まれていて、直列に接続されている抵抗器（１７）および第１のダイオード（１８）を含んでいることと、
前記ダイオードと前記抵抗器との間に、前記制御回路（１５）に接続された第２の信号導線（１９）が接続されていることとを特徴とする検出器配置。
【請求項２】
前記抵抗器（１７）は、前記第１のダイオード（１８）よりも前記第２の電源（１１）により近く結合されており、前記ダイオードは前記抵抗器に向けてそのアノードが結合されていることを特徴とする請求項１記載の検出器配置。
【請求項３】
第２のダイオード（２０）が、前記クロスワイヤ（８）の前記供給導線（３）への結合（９）より前で、前記供給導線（３）に結合され、前記第２のダイオードは、前記電源に向いた方向にそのアノードが結合されていることを特徴とする請求項２記載の検出器配置。
【発明の詳細な説明】
【技術分野】
【０００１】
本発明は、スタンバイシャットダウンを含む電気回路配置中に含まれている検出器配置に関連し、検出器配置は、主電圧に接続され、電気回路中に含まれている電気モーターに適合する第１の電圧に主電圧を変換する第１の電源を具備し、第１の電源は、電気回路を閉じるまたは開くことができるスイッチを横断する供給導線によって、その正極がモーターに接続され、モーターは、戻り導線によって、第１の電源の負極に接続され、一方は第１の信号導線を通して第１の電源に接続され、他方は含まれている第２の電源に接続されている制御回路も同様に具備し、第２の電源は、第１の電圧よりも相当低い第２の電圧で制御回路に給電し、その負極が戻り導線に接続され、スイッチがオンの位置にあり、電源が電圧を送る通電状態と、スイッチがオフの位置にあり、電源が電圧を送らないシャットダウン状態との間の、スイッチの状態を示す検出器手段をさらに具備し、手段は、第１の電源の制御のために制御回路に接続されている。
【背景技術】
【０００２】
上記で開示したタイプの電気配置中に含まれる検出器配置は、技術的に普通のものである。たいてい、そのような配置は、電気的に駆動するモーターを備えるすべての装置に含まれている。これらの先行技術配置に固有の欠点は、検出器手段がスイッチに接続され、別の導線に渡るスイッチの位置の変更を示した後に、検出器手段がこの変更を、含まれている制御回路に伝えることである。この別の導線は、互いに接続しなければならないとても小さく不安定な部品であることが多いため、所定の位置に据え付けることが通常難しい。それゆえに、所定の位置に据え付けることが満足のいくものではなく、重大なリスクがあり、このことは、装置が機能を停止するという結果に容易につながる。
【問題の構造】
【０００３】
したがって、検出されたスイッチの位置を制御回路に送る別の導線を必要とせず、その結果、先行技術の配置中に存在する組み立ての欠点を克服する、検出器配置を技術的に提供できるようにする必要がある。
【解決法】
【０００４】
本発明は、導入中で開示したタイプの検出器配置によって、上記で開示した欠点を取り除く解決法を提供する。本発明は、検出器配置が、第２電源の正極と供給導線との間に引かれているクロスワイヤ中に含まれていて、直列で接続されている抵抗器およびダイオードを含み、ダイオードと抵抗器との間に接続があり、制御回路に接続されている導線を含んでいることとを特徴とする。さらに本発明は、抵抗器が、ダイオードよりも電源により近く接続されており、ダイオードは、抵抗器に向けてそのアノードが接続されていることを特徴とする。
【０００５】
さらに本発明は、クロスワイヤの供給導線への接続より前で、供給導線に接続されている第２のダイオードがあり、第２のダイオードは、電源に向いた方向にそのアノードが接続されていることを特徴とする。
【図面の簡単な説明】
【０００６】
添付の図面を参照して、本発明を以下でより詳細に説明する。
【図１】図１は、ここで検討中の本発明を含む結合ダイヤグラムであり、そこに含まれているスイッチは開いた位置にある。
【図２】図２は、図１の結合ダイヤグラムを示しており、含まれているスイッチは閉じた位置にある。
【好ましい実施形態の説明】
【０００７】
図１を参照すると、図は、既知の方法で主電圧に接続されている第１の電源１を示している。電源において、既知の方法で、主電圧よりも相当低い電圧への到来電圧の変換が起こる。電源の正極２から、第１の供給導線３が引かれ、スイッチ４を渡って、モーター５に接続されている。図中で、スイッチは開いた位置にある。モーター５から、第１の戻り導線６が電源の負極７まで引かれている。供給導線と戻り導線との間に、クロスワイヤ８が引かれ、クロスワイヤ８は第１の結合９により供給導線３に接続され、第２の結合１０は戻り導線６に接続されている。第２の電源１１は、クロスワイヤに配置され、第２の電源１１も既知の方法で主電圧に接続されている。第２の電源は、その負極１２が戻り導線６に結合され、 第２の供給導線１３および第２の戻り導線１４に渡って、その機能を実行できるように制御回路に必要とされる電圧を、含まれている制御回路１５に給電する。既知の方法で第２の電源中で起こる電圧変換は、第１の電源中で起こる電圧変換よりも相当低い電圧へのものである。信号導線１６は、制御回路１５と第１の電源との間に結合されている。抵抗器１７および第１のダイオード１８は、クロスワイヤ８上に配置されている。ダイオード１８は、そのアノードが抵抗器に向くように接続されている。抵抗器１７とダイオード１８との間で、クロスワイヤ８が、第２の信号導線１９により、制御回路１５に接続されている。さらに、第１の供給導線上の結合９と第１の電源との間の領域中に、結合されている第２のダイオード２０がある。
【０００８】
図１と図２とを参照して、本発明を以下に説明する。スイッチが図１中で示す位置にあるとき、電圧は第２の電源から制御回路に給電され、制御回路は、既知の方法で、第１の電源をシャットダウンする信号を送る。結果として、第１の電源から供給導線３に電流は給電されない。スイッチが図２中で示す位置に閉じているとき、第２の電源から、抵抗器、第１のダイオード、スイッチ、モーターを通して引かれている電気回路は閉じる。これは、既知の方法で抵抗器とダイオードとの間のクロスワイヤ８中の電圧が相当下がるという結果をもたらす。この降下は、制御回路１５の第２の信号導線１９を通して示され、これは、電圧を送るように、既知の方法で、第１の信号導線１６を通して第１の電源１をスイッチさせ、これによりモーターが始動する。スイッチが開いた位置にあるときの、第１の電源がオフにされている状態では、第２の電源から送られる電圧が、第１の電源から送られる電圧よりもかなり低いので、非常にわずかな電力消費が起こるだけである。本発明中に含まれている制御回路は、当業者にとって既知である任意のマイクロプロセッサから構成してもよい。
【０００９】
スイッチの異なる位置の実行される検出は、クロスワイヤ中で起こる電圧の変化を通して実施されることから、スイッチの位置を伝えるための別の導線を必要としないという利点が得られる。第２のダイオード２０を含むことにより、第２の電源から抵抗器とダイオード１８とを経由して通る電流が、スイッチとモーターを通る以外の別のルートを経由して通ることを防ぐ、本発明の機能が確実になるという利点が得られる。
【図１】
2015501067.tif 000003
【図２】
2015501067.tif 000004
【国際調査報告】
2015501067.tif 000005
2015501067.tif 000006
2015501067.tif 000007